(57)【要約】【課題】対象物に適切な形態で組み込むことができると共に、振動板の全体を均質に振動させて高い音質の音を発生させることができるスピーカーユニットを提供する。【解決手段】本発明では、フレーム３０と、このフレーム３０にエッジ部材２５を介して取り付けられた振動板２０と、通電された電気信号に応じて前記振動板２０を振動させる駆動部４０と、を備え、前記駆動部４０が配列線Ｌ１上に複数配置されているスピーカーユニットによって上記の課題を解決している。【選択図】図１
2014022860.tif 000002
【特許請求の範囲】
【請求項１】
フレームと、該フレームにエッジ部材を介して取り付けられた振動板と、通電された電気信号に応じて前記振動板を振動させる駆動部と、を備え、
前記駆動部が配列線上に複数配置されていることを特徴とするスピーカーユニット。
【請求項２】
２以上の前記駆動部が１組の駆動部ユニットを構成し、
単数又は複数の前記駆動部ユニットを備えている、請求項１に記載のスピーカーユニット。
【請求項３】
前記駆動部がコイルと磁石とにより構成された動電型であり、
前記駆動部ユニットが、前記駆動部を構成する複数のコイルをユニット手段によってユニット化されている、請求項２に記載のスピーカーユニット。
【請求項４】
前記駆動部がコイルと磁石とにより構成された動電型であり、
前記駆動部ユニットが、前記駆動部を構成する複数の磁石をユニット手段によってユニット化されている、請求項２又は３に記載のスピーカーユニット。
【請求項５】
前記駆動部ユニットが、設置線上に複数配置されている、請求項２〜４のいずれか１項に記載のスピーカーユニット。
【請求項６】
前記設置線が１列の線からなる、請求項５に記載のスピーカーユニット。
【請求項７】
前記フレームの長手方向が、前記設置線が延びる方向に一致している、請求項６に記載のスピーカーユニット。
【請求項８】
前記設置線が複数の線からなる、請求項５に記載のスピーカーユニット。
【発明の詳細な説明】
【技術分野】
【０００１】
本発明は、スピーカーユニットに関し、さらに詳しくは、２以上の駆動部が所定の線上に配置されているスピーカーユニットに関する。
【背景技術】
【０００２】
スピーカーユニットは、適用される機器に応じて種々の形状に形成することが要求される。例えば、テレビは、液晶表示素子やプラズマ表示素子等が利用されることに伴って、近年薄型化されている。こうしたテレビに使用されるスピーカーユニットは、テレビの薄型化に伴って、細型や薄型に形成されることが要求されている。細型や薄型に形成されたスピーカーユニットに関する技術は、これまでにいくつか提案されている。
【０００３】
特許文献１に提案されている技術は、振動モード方式によって構成されたパネル型スピーカーユニットに関するものである。このパネル型スピーカーユニットは、エキサイタ、振動伝達部材、振動板を兼ねた平板を備えている。この平板は、薄型表示装置の面前に配置され、エキサイタによって励振されることによって撓み振動を発生する。
【０００４】
エキサイタは、連結部材及び複数の小エキサイタから構成されており、薄型表示装置の周縁部分に配置されている。小エキサイタは、磁気回路、ボイスコイル及びボビンを有し、ボビンがボイスコイルを保持し、複数の小エキサイタが並列に接続されている。磁気回路は、弾性体を介して薄型表示装置のフレームに固定されている。小エキサイタは、薄型表示装置の周縁部分に隣接して配置され、連結部材は、複数の小エキサイタの各々のボビンの先端部分を連結するように構成されている。振動伝達部材は、連結部材又はこれによって連結されたボビンの先端部分と薄型表示装置の前面に配置された透明勢の平板との間を連結し、当該平板に振動を伝達している。
【０００５】
特許文献１に提案されている技術は、スピーカーユニットをこのように構成することによって、当該スピーカーユニットを含む薄型表示装置全体を小型化させると共に、スピーカーユニットの形状を細長くしている。
【先行技術文献】
【特許文献】
【０００６】
【特許文献１】特開２００４−２８９７７２号公報
【発明の概要】
【発明が解決しようとする課題】
【０００７】
しかしながら、特許文献１に提案されているようなスピーカーユニットは、スピーカーユニットを組み込む対象物に適合した形状に形成することが困難であり、対象物に適切な形態で組み込むことができないという問題がある。
【０００８】
また、こうした従来のスピーカーユニットのようにスピーカーユニットの形状を細長くすると、振動板の全領域を均質に振動させることが困難になる。そのため、細長く形成されたスピーカーユニットは、高音質化が難しいという問題がある。
【０００９】
本発明は、上記課題を解決するためになされたものであり、その目的は、対象物に適切な形態で組み込むことができると共に、振動板の全体を均質に振動させて高い音質の音を発生させることができるスピーカーユニットを提供することにある。
【課題を解決するための手段】
【００１０】
上記課題を解決するための本発明に係るスピーカーユニットは、フレームと、該フレームにエッジ部材を介して取り付けられた振動板と、通電された電気信号に応じて前記振動板を振動させる駆動部と、を備え、前記駆動部が配列線上に複数配置されていることを特徴とする。なお、配列線は、直線や曲線だけでなく、折れ曲がり部を備えた線（例えば、アルファベットのＶ字状の線やＬ字状の線）、及びこうした線を適宜に組み合わせた線を含むものである。
【００１１】
この発明によれば、複数の駆動部が通電された電気信号に応じて振動板を振動させるので、振動板の全体を均質に振動させて、高い音質の音を発生させることができる。また、駆動部が配列線上に複数配置されているので、配列線の形状を予め所望の形状に設定し、スピーカーユニットの形状を種々の形状にすることができる。
【００１２】
本発明に係るスピーカーユニットにおいて、２以上の前記駆動部が１組の駆動部ユニットを構成し、単数又は複数の前記駆動部ユニットを備えている。
【００１３】
この発明によれば、２以上の駆動部が駆動部ユニットを構成しているので、駆動部ユニットをあらかじめ別個に組み立てておくことによって、効率よくスピーカーユニットを組み立てることができる。
【００１４】
本発明に係るスピーカーユニットにおいて、前記駆動部がコイルと磁石とにより構成された動電型であり、前記駆動部ユニットが、前記駆動部を構成する２以上のコイルをユニット手段によってユニット化されている。また、前記駆動部がコイルと磁石とにより構成された動電型であり、前記駆動部ユニットが、前記駆動部を構成する２以上の磁石をユニット手段によってユニット化されている。
【００１５】
この発明によれば、駆動部が動電型である場合に、駆動部を構成するコイルが複数に分けられているので、コイルのインダクタンスを分散し、駆動電流を低減することができる。また、駆動部を構成する２以上のコイル又は２以上の磁石をユニット手段でユニット化しているので、効率よく組立作業を行うことができる。
【００１６】
本発明に係るスピーカーユニットにおいて、前記駆動部ユニットが、設置線上に複数配置されている。なお、設置線は、直線や曲線だけでなく、折れ曲がり部を備えた線（例えば、アルファベットのＶ字状の線やＬ字状の線）、及びこうした線を適宜に組み合わせた線を含むものである。
【００１７】
この発明によれば、前記駆動部ユニットが、設置線上に複数配置されているので、スピーカーユニットの全体形状を、組み込む対象物に適合した形状にすることができる。
【００１８】
本発明に係るこうしたスピーカーユニットは、前記設置線が１列の線からなるスピーカーユニットと、前記設置線が複数の線からなるスピーカーユニットとに大別することができる。設置線を１列の線で構成した場合、前記フレームの長手方向を前記設置線が延びる方向に一致させてもよい。
【発明の効果】
【００１９】
本発明によれば、スピーカーユニットの形状を種々の形状にすることによって、対象物に適切な形態で組み込むことができる。また、振動板の全体を均質に振動させて高い音質の音を発生させることができる。
【図面の簡単な説明】
【００２０】
【図１】配列線が直線状に延びる駆動部ユニットを備えた本発明の第１実施形態に係る第１態様の第１具体例のスピーカーユニットの縦断面図である。
【図２】図１に示すスピーカーユニットの振動板を取り外した状態を示す平面図である。
【図３】図１に示すスピーカーユニットに使用される振動板の平面図である。
【図４】振動板、コイル及びユニット化された磁石を示す説明図である。
【図５】ユニット化されたコイルとユニット化された磁石を示す説明図である。
【図６】配列線が直線状に延びる駆動部ユニットの１態様を示す説明図である。
【図７】配列線が直線状に延びる駆動部ユニットを複数組み合わせて構成された駆動部ユニットの配置の第２具体例を示す説明図である。
【図８】配列線が直線状に延びる駆動部ユニットを複数組み合わせて構成された駆動部ユニットの配置の第３具体例を示す説明図である。
【図９】配列線が直線状に延びる駆動部ユニットを複数組み合わせて構成された駆動部ユニットの配置の第４具体例を示す説明図である。
【図１０】本発明の第１実施形態に係る第２態様である、配列線が直角に折れ曲がる曲線からなる駆動部ユニットをモデル的に示す説明図である。
【図１１】図１０に示す駆動部ユニットと配列線が直線状に延びる駆動部ユニットとを組み合わせて構成された駆動部ユニットの配置の具体例を示す説明図である。
【図１２】図１０に示す駆動部ユニットとは別の態様に係る駆動部ユニットの説明図である。
【図１３】本発明の第１実施形態に係る第３態様である、配列線が円弧状に形成された曲線からなる駆動部ユニットをモデル的に示す説明図である。
【図１４】図１３に示す駆動部ユニットを組み合わせて構成された駆動部ユニットの配置の第３態様に係る第１具体例を示す説明図である。
【図１５】図１３に示す駆動部ユニットを組み合わせて構成された駆動部ユニットの配置の第２具体例を示す説明図である。
【図１６】本発明の第２実施形態に係る、複数の駆動部ユニットが複数の配列線上に配置されたスピーカーユニットの駆動部ユニットの配置及び振動板を示す説明図である。
【図１７】駆動部ユニットが複数の配列線上に配置された駆動部ユニットの配置及び振動板の第２態様を示す説明図である。
【図１８】駆動部ユニットが複数の配列線上に配置された駆動部ユニットの配置及び振動板の第３態様を示す説明図である。
【図１９】駆動部ユニットが複数の配列線上に配置された駆動部ユニットの配置及び振動板の第４態様を示す説明図である。
【図２０】駆動部ユニットが複数の配列線上に配置された駆動部ユニットの配置及び振動板の第５態様を示す説明図である。
【図２１】駆動部ユニットが複数の配列線上に配置された駆動部ユニットの配置及び振動板の第６態様を示す説明図である。
【図２２】駆動部ユニットが複数の配列線上に配置された駆動部ユニットの配置及び振動板の配置の第７態様を示す説明図である。
【図２３】本発明の第３実施形態に係る、端部を有しない閉じた図形からなる配列線によって構成された駆動部ユニットの第１態様を示す説明図である。
【図２４】端部を有しない閉じた図形からなる配列線によって構成された駆動部ユニットの第２態様を示す説明図である。
【図２５】端部を有しない閉じた図形からなる配列線によって構成された駆動部ユニットの第３態様を示す説明図である。
【図２６】端部を有しない閉じた図形からなる配列線によって構成された駆動部ユニットを複数配置した駆動部ユニットの配置の一例を示す説明図である。
【図２７】端部を有する配列線からなる駆動部ユニットと端部を有しない閉じた図形からなる配列線によって構成された駆動部ユニットとを組み合わせた駆動部ユニットの配置の一例を示す説明図である。
【発明を実施するための形態】
【００２１】
以下、本発明の実施形態について図面を参照しながら説明する。なお、本発明の技術的範囲は、以下の記載や図面にのみ限定されるものではない。
【００２２】
本明細書は、スピーカーユニットとスピーカーという２つの用語を使い分けている。スピーカーユニットは、単数の完成品を表している。これに対し、スピーカーは、未完成のスピーカーユニット及び複数のスピーカーユニットを表している。
【００２３】
［基本構成］
本発明に係るスピーカーユニット１０は、例えば、図１及び図２に示すように、フレーム３０と、フレーム３０にエッジ部材２５を介して取り付けられた振動板２０と、通電された電気信号に応じて振動板２０を振動させる駆動部４０と、を備えている。駆動部４０は、配列線Ｌ１上に複数配置されている。なお、本明細書において、配列線は、直線や曲線だけでなく、直線同士、曲線同士又は直線と曲線とを適宜に組み合わせた線を含むものである。同様に、設置線は、直線や曲線だけでなく、直線同士、曲線同士又は直線と曲線とを適宜に組み合わせた線を含むものである。
【００２４】
本発明に係るスピーカーユニット１０によれば、スピーカーユニットの形状を種々の形状にすることによって、対象物に適切な形態で組み込むことができるという特有の効果を奏する。また、振動板２０の全体を均質に振動させて、高い音質の音を発生させることができるという特有の効果を奏する。
【００２５】
こうしたスピーカーユニット１０は、例えば、図６に示すように、２以上の駆動部４０が１組の駆動部ユニット５１を構成し、単数又は複数の駆動部ユニット５１を備えている。その駆動部４０は、通電された電気信号に応じて振動板２０を振動させる駆動方式によって、動電型、静電型（コンデンサ型）、圧電型（セラミックス型）、エキサイタ型及びイオン型に分類することができる。本発明に係るスピーカーユニット１０は、こうした全ての駆動方式を適用の対象としている。
【００２６】
以下、駆動部４０の駆動方式が動電型であるスピーカーユニット１０を代表例にして、スピーカーユニット１０の構成を説明する。なお、動電型の駆動方式としては、磁石が固定され、コイルが振動するムービングコイル型と、コイルが固定され、磁石が振動するムービングマグネット型とを挙げることができる。こうした駆動方式の中でも、コイル４３が振動板２０に取り付けられ且つ、磁石４２がフレーム３０側に固定され、コイル４３が振動板２０と共に振動するように構成されたムービングコイル型のスピーカーユニット１０を代表例として本発明の実施形態の詳細を説明する。
【００２７】
なお、本発明に係るスピーカーユニットに用いられる駆動部ユニットの配置は、駆動部ユニット５１〜５６を配置する設置線Ｌ２が１列の線からなる第１実施形態と、設置線Ｌ２が複数の線からなる第２実施形態とに大別することができるので、実施形態毎に詳細を説明する。また、駆動部ユニットは、第１実施形態及び第２実施形態に示すように、配列線が端部を有する図形からなる形態と、第３実施形態のように、配列線が端部を有しない閉じた図形からなる形態とに大別することができる。
【００２８】
［第１実施形態］
本発明の第１実施形態に係るスピーカーユニットは、２以上の駆動部４０を有する駆動部ユニット５１，５２，５４，５５，５６が１列の線からなる設置線Ｌ２上に配置されている。こうしたスピーカーユニットは、主に、駆動部４０を配置する配列線Ｌ１が、直線状に延びる第１態様、折れ曲がり部を有する線からなる第２態様、円弧状に湾曲する曲線からなる第３態様に分けることができる。以下、第１態様から第３態様について順番に詳細を説明する。なお、配列線Ｌ１は、こうした線を単独で用いる態様の他に、これらを適宜に組み合わせた態様もあるがここでは、その詳細な説明は省略する。
【００２９】
（第１態様）
第１態様に係るスピーカーユニットは、駆動部ユニット５１，５２を構成する複数の駆動部４０を配置する配列線Ｌ１が、直線状に延びるものである。この第１態様に係るスピーカーは、駆動部ユニット５１，５２の組み合わせ方によって種々の形状のスピーカーを形成することができる。以下、こうしたスピーカーの具体例を第１具体例で、スピーカーユニット１０の概要を図示して説明し、第２具体例から第４具体例で駆動部ユニットの配置モデル１１〜１３を図示して説明する。
【００３０】
（第１具体例）
第１具体例に係るスピーカーユニット１０は、図１及び図２に示すように、直線状に細長く形成されている。このスピーカーユニット１０は、フレーム３０の長手方向が直線状の設置線Ｌ２に一致して延びており、外形が直線状に細長く形成されている。スピーカーユニット１０は、直線状に延びる設置線Ｌ２上に、図６に示すような駆動部ユニット５１を２組備えている。各駆動部ユニット５１は、配列線Ｌ１上に配置されている２以上の駆動部４０が１組の駆動部ユニット５１として構成されている。このスピーカーユニット１０は、長手方向の中央部を境に、図１の右側と左側とに駆動部ユニット５１をそれぞれ１組ずつ備えている。
【００３１】
〈フレーム〉
このスピーカーユニット１０は、長手方向が直線状に延びる細長い直方体状のフレーム３０を備えている。フレーム３０は、フレーム３０の周囲部を構成している周面３１を備えている。この周面３１は、相互に平行をなしてフレーム３０の長手方向に延びる１対の側面３２と、長手方向の両端に設けられた端面３３とから形成されている。なお、フレーム３０の端部３４は、図１に示すように、フレーム３０の長手方向の外側に向けて張り出している。また、フレーム３０は、磁石４２を保持する保持部３６と、長手方向の保持部３６同士の間で、側面３２同士を連絡する複数の梁３５とを備えている。さらに、フレーム３０の長手方向の中央には、端子６０が設けられている。この端子６０は、駆動部４０に電流を流すための配線が繋がれる部位である。
【００３２】
フレーム３０の上部は、周面３１よりも内側の領域が開放されている。この周面３１よりも内側の開放された領域は、振動板２０及びエッジ部材２５によって覆われる。フレーム３０の端部３４は、その４隅に穴を備えている。この穴は、ねじ等が通されて、スピーカーユニット１０を対象物に取り付けるときに使用される。保持部３６は、駆動部４０を構成する磁石４２を保持するための部位である。この保持部３６は、フレーム３０の長手方向に間隔を空けて１列をなして設けられている。図１に示す態様のフレーム３０は、フレーム３０の長手方向の中心を境に図１の右側と左側とに保持部３６をそれぞれ３つずつ備えている。各保持部３６は平面視の形状が円形に形成さている。また、各保持部３６の上面は階段状に形成されており、外側から内側に向かうにつれて順次に高さが低くなるように形成されている。各保持部３６の中心は、穴を備えている。これらの保持部３６同士の間に設けられている複数の梁３５は、フレーム３０の剛性を維持している。こうしたフレーム３０は、アルミニウム又はアルミニウム合金等の金属で形成されている。
【００３３】
〈振動板〉
振動板２０は、図３に示すように、フレーム３０の形状に対応して細長く形成されている。振動板２０は、その幅方向の両端が相互に平行をなして直線状に延び、振動板２０の長手方向の両端が円弧状にそれぞれ形成され、全体の形状が細長い長丸形状をなしている。振動板２０は、振動部材が用いられる。振動部材としては、紙、樹脂、金属、木材、竹材等の部材や、こうした部材を表面処理した軽量、薄肉、高強度の部材を挙げることができる。
【００３４】
なお、図３は、振動板の形状の一例として平面型の振動板２０を示している。しかしながら、本発明は、コーン型、ドーム型、屋根型及び複数の方向に音が放射される形等、種々の形状の振動板に適用することもできる。
【００３５】
こうした振動板２０は、図１に示すように、振動板２０の周縁がエッジ部材２５を介してフレーム３０の上部に取り付けられる。周面３１よりも内側の開放された領域は、振動板２０及びエッジ部材２５によって覆われる。
【００３６】
図３に示す振動板２０の長さはフレーム３０の長さとほぼ一致しており、１つの振動板２０が１つのスピーカーユニット１０を構成している。ただし、振動板２０は、駆動部ユニット５１がそれぞれ１つずつ有するように構成することもできる。すなわち、図１に示すスピーカーユニット１０は、長手方向の中心を境に左右両側に設けられている３つの駆動部４０からなる駆動部ユニット５１を備えている。振動板２０をこれらの駆動部ユニット５１の長さに対応する長さに形成し、各駆動部ユニット５１がそれぞれ振動板２０を備えるように構成することもできる。
【００３７】
〈エッジ部材〉
エッジ部材２５は、振動板２０の周縁に設けられて、振動板２０をフレーム３０の上部に取り付けるための部材である。図１に示すように、エッジ部材２５は、上側に向けて突出する本体部２６と、本体部２６の内側に設けられ、振動板２０の周縁に取り付けられる内側取付部２７と、本体部２６の外側に設けられ、フレーム３０の上部に取り付けられる外側取付部２８とから形成されている。このエッジ部材２５の本体部２６は、断面形状が円弧状に形成されており、振動板２０の上面よりも上側に向けて突出している。内側取付部２７は、本体部２６から内側に向けて水平に張り出すようにして形成されている。外側取付部２８は、本体部２６から外側に向けて水平に張り出すようにして形成されている。
【００３８】
こうしたエッジ部材２５は、合成ゴムやウレタン（スポンジ）部材等から、振動板の形状やスピーカーの性能等に適合するものを適宜に選択して用いることができる。
【００３９】
〈駆動部〉
駆動部４０は、通電された電気信号に応じて振動板２０を振動させる。この駆動部４０は、フレーム３０の長手方向に間隔を空けて一列に配置されることによって複数設けられる。具体的には、フレーム３０に設けられている保持部３６に対応する位置に１つずつ設けられている。
【００４０】
各駆動部４０は、保持部３６に取り付けられたヨーク４１と、このヨーク４１に取り付けられた磁石４２と、磁石４２が形成する磁界との相互作用によって振動するコイル４３とをそれぞれ備えている。
【００４１】
ヨーク４１は、外形が円筒状をなしており、周壁面と底面とから構成されている。ヨーク４１の上部は開放されている。このヨーク４１は、保持部３６の中央に形成された穴にはめ込まれた状態で保持部３６に固定される。
【００４２】
磁石４２は、円柱状に形成されており、その軸方向が上下に延びるようにしてヨーク４１の底面の中央に固着されている。磁石４２は、ネオジム磁石が好ましく用いられる。ただし、磁石４２は、フェライト磁石やアルニコ磁石を用いることもできる。こうした磁石４２は、長手方向の一端側がヨーク４１の中央に接着剤等によって接着される。
【００４３】
コイル４３は、銅又は銅合金からなる導体が円筒状に巻かれて形成されている。コイル４３は、コイル巻き機を用いて導体を予め設定された所定の回数だけ巻いて所望の内径及び外径になるようにして形成される。
【００４４】
こうしたコイル４３は、振動板２０の裏面に取り付けられる。振動板２０に取り付けられたコイル４３は、その外側にヨーク４１の周壁面が位置され且つ、その内側に磁石４２が位置されるように、ヨーク４１と磁石４２との間に配置される。また、コイル４３は、ダンパー４４によって水平方向の位置が維持される。ダンパー４４は、図１及び図２に示すように、円形の部材であり、半径方向に山と谷が順番に配置されて波形に形成されている。このダンパー４４は、中心部にコイル４３を通すための穴を備えており、コイル４３を中心部で保持する一方で、ダンパー４４は、外周部がフレーム３０の保持部３６に取り付けられている。コイル４３は、このダンパー４４によってフレーム３０の保持部３６に保持される。そのため、コイル４３と一体になった振動板２０は、前後に整って振動する。
【００４５】
〈駆動部ユニット〉
３つのコイル４３は、ユニット手段であるユニット板５０によって１組のユニットとして構成される。ユニット板５０は、アルミニウム又はアルミニウム合金等によって細長く形成された薄板である。ユニット板５０は、長手方向の所定の間隔毎に穴が形成されている。穴の間隔は、フレーム３０に設けられている保持部３６の間隔と一致している。３つコイル４３は、軸方向の一端側がユニット板５０に形成された穴にそれぞれ通されて、ユニット板５０に固定されて相互に連結される。
【００４６】
ユニット手段は、こうしたアルミニウム又はアルミニウム合金に限定されず、その他の金属材料、樹脂、紙、木片を用いることもできる。また、ユニット手段は、こうした部材を用いる態様に限定されない。部材を用いないユニット手段としては、たとえば、振動板２０のコイル４３が取り付けられる位置に目印を印刷したり、凹凸を付けたりしておくことを挙げることができる。印刷や凹凸等を振動板２０に付してコイル４３をユニット化する場合、ユニット化は、コイル４３を振動板２０に接着等で接着して行われる。
【００４７】
ユニット化されたコイル４３は、ユニット板５０の穴に挿入された側の一端側が振動板２０の裏面に取り付けられている。ユニット化されたコイル４３は、振動板２０に取り付けられる際に、各コイル４３が、それぞれのコイル４３によって構成される駆動部４０の位置に一致される。そのとき、ヨーク４１の周壁面がコイル４３の外側に位置され且つ、磁石４２がコイル４３の内側に位置される。
【００４８】
コイル４３のユニット化は、コイル４３同士の間隔を設計どおりの寸法に配置することができるので、予め定められた位置にコイル４３を振動板２０に取り付けできるようにする。そのため、コイル４３のユニット化は、組み合わされる磁石４２との間に必要なクリアランスを形成することができる。また、コイル４３のユニット化は、複数のコイル４３を所定の位置に効率よく取り付けることができるようしている。
【００４９】
こうしたコイル４３は、ユニット化された３つのコイル４３が電気的に直列に接続される。３つのコイル４３からなるユニット同士は、直列及び並列のどちらの態様で接続してもかまわない。
【００５０】
以上、３つのコイル４３をユニット化することによって、３つの駆動部４０で１組の駆動部ユニット５１を構成した場合を説明したが、２つの駆動部４０で１組の駆動部ユニットを構成したり、４つ以上の駆動部４０で駆動部ユニットを構成したりしてもよい。また、コイル４３をユニット化した場合を例に説明したが、２以上の磁石４２をユニット化して１組の駆動部ユニット５１を構成したり、コイル４３及び磁石４２の双方をユニット化して駆動部ユニット５１を構成したりすることができる。また、２以上の駆動部４０全体で１組の駆動部ユニット５１を構成してもよい。
【００５１】
磁石４２をユニット化し、コイル４３を振動板２０に直接接着した場合の一例を図４に示して説明する。
【００５２】
３つのコイル４３は、図４に示すように、振動板２０の幅方向の中心で、振動板２０の長手方向に一定の間隔を空けて１列をなして接着されている。一方、３つの磁石４２は、ユニット化手段であるユニット板７０によって１組のユニットにされている。ユニット化された３つの磁石４２の間隔は、コイル４３の間隔と同じ間隔である。
【００５３】
磁石４２のユニット化は、磁石４２同士の間隔を設計どおりの寸法に配置することができるので、予め定められた位置に磁石４２をフレーム３０に取り付けできるようにする。そのため、磁石４２のユニット化は、組み合わされるコイル４３との間に必要なクリアランスを形成することができる。また、磁石４２のユニット化は、複数の磁石４２を所定の位置に効率よく取り付けることができるようしている。
【００５４】
なお、複数の磁石４２をユニット化した場合でも、振動板２０に取り付けられたコイル４３と組み合わせたときに、磁石４２の位置とコイル４２の位置とが完全に一致せず、両者の間に誤差が生じることがある。ユニット手段であるユニット板７０は、調整しろ７１を備えており、磁石４２とコイル４３とを組み合わせる際に、磁石４２の位置を微調整することができるようになっている。図４に示すユニット板７０は、長手方向に磁石４２の位置を調整することができる調整しろ７１を設けた一例である。なお、磁石４２とコイル４３との間の位置ずれは、幅方向にも生じることがある。そのため、調整しろ７１は、長手方向及び幅方向のいずれの方向にも磁石４２の位置を調整することができるに形成するとよい。
【００５５】
次に、図５を参照して、磁石４２及びコイル４３の双方をユニット化した場合について説明する。
【００５６】
３つのコイル４３は、ユニット手段であるユニット板５０によって１組のユニットとして構成される。同様に、３つの磁石４２は、ユニット化手段であるユニット板７０によって１組のユニットにされている。ユニット化された３つのコイル４３の間隔と３つの磁石４２の間隔とは、相互に一致している。
【００５７】
こうした磁石４２及びコイル４３の双方のユニット化は、磁石４２同士の間隔及びコイル４３同士の間隔を設計通りの寸法に配置できるので、磁石４２を予め定められたフレーム３０の位置に取り付けできるようにすると共に、コイル４３を振動板２０の予め定められた位置に取り付けできるようにする。そのため、磁石４２及びコイル４３の双方のユニット化は、磁石４２のみをユニット化する場合やコイル４３のみをユニット化する場合以上に、組み合わされるコイル４３との間に必要なクリアランスを形成することができる。
【００５８】
なお、磁石４２の位置とコイル４３の位置とが微妙にずれた場合でも、磁石４２の位置を微調整することができるように、磁石４２をユニット化しているユニット板に調整しろ７１を設けておくとよい。
【００５９】
以上の構成を備えたスピーカーユニット１０は、コイル４３に電流が流れると、磁石４２によって形成されている磁界と、コイル４３が形成する磁界との相互作用によって、コイル４３が上下方向に移動する。コイル４３は流れる電流値に応じた強さの磁界を形成するので、コイル４３の移動量は、流れる電流値によって定まる。コイル４３が上下方向に移動すれば、コイル４３が取り付けられた振動板２０は、コイル４３の移動量に応じて振動する。スピーカーユニット１０は、こうした作用によって、音を発生する。こうしたスピーカーユニット１０は、駆動部４０毎にコイル４３を備えているので、コイル４３のインダクタンスが分散され、駆動電流を低減することができる。
【００６０】
以上、駆動部ユニット５１が直線状に延びる設置線Ｌ２上に配置された具体例について説明した。以下、直線状に延びる配列線Ｌ１上に配置された２以上の駆動部４０によって構成された駆動部ユニットが、種々の形状の設置線Ｌ２上に配置されたスピーカーの別の具体例について説明する。
【００６１】
図６に示す駆動部ユニット５１は、２以上の駆動部４０が間隔を空けて直線状に一列に配置され、これらの駆動部４０がユニット化されていることによって構成されている。図６に示す駆動部ユニット５１は、３つの駆動部４０が直線状に一列に配置されてユニット化されたものを例に示している。以下、スピーカーの駆動部ユニットの配置モデルについて図面を参照して説明する。なお、図６から図９は、説明容易のため、駆動部ユニット５１，５２をモデル化して概要のみを示している。また、ユニット化される駆動部４０の数は、複数であれば限定されない。
【００６２】
（第２具体例）
第２具体例に係る駆動部ユニットの配置モデル１１は、配置が三角形の輪郭の形状に形成されている。図７に示す駆動部ユニットの配置モデル１１は、３組の駆動部ユニット５１を備えている。駆動部ユニット５１を配置する設置線Ｌ２は、１列の線によって三角形の輪郭に一致して形成されている。３組の駆動部ユニット５１は、その配列線Ｌ１を三角形の各辺を構成する設置線Ｌ２の延びる方向に一致させて、三角形の各辺に１組ずつ配置されている。なお、取り付けられる振動板は、その形状に限定はない。振動板は、駆動部ユニットが配置された部分よりも内側の領域に任意の形状の穴を形成してもよい。
【００６３】
（第３具体例）
第３具体例に係る駆動部ユニットの配置モデル１２は、配置が四角形の輪郭の形状に形成されている。図８に示す駆動部ユニットの配置モデル１２は、４組の駆動部ユニット５１を備えている。駆動部ユニット５１を配置する設置線Ｌ２は、１列の線によって四角形の輪郭に一致して形成されている。４組の駆動部ユニット５１は、配列線Ｌ１を四角形の各辺を構成する設置線Ｌ２の延びる方向に一致させて、四角形の各辺に１組ずつそれぞれ配置されている。なお、取り付けられる振動板は、その形状に限定はない。振動板は、駆動部ユニットが配置された部分よりも内側の領域に任意の形状の穴を形成してもよい。
【００６４】
以上、駆動部ユニット５１を配置する設置線Ｌ２が、三角形と四角形に形成された駆動部ユニット５１の配置モデル１１，１２を説明したが、本発明は、設置線Ｌ２が五角形以上の多角形に形成された駆動部ユニット５１の配置モデルに適用することもできる。
【００６５】
（第４具体例）
第４具体例に係る駆動部ユニットの配置モデル１３は、駆動部ユニットの配置モデル１３の外形がアルファベットのＬ字状に形成されている。図９に示す駆動部ユニットの配置モデル１３は、３つの駆動部４０を備えた駆動部ユニット５１と、２つの駆動部４０を備えた駆動部ユニット５２とが組み合わされて構成されている。駆動部ユニット５１，５２を配置する設置線Ｌ２は、１列の線によってアルファベットのＬ字状に形成されている。３つの駆動部４０を備えた駆動部ユニット５１は、Ｌ字を形成している上下に延びる設置線Ｌ２上に配置され、２つの駆動部４０を備えた駆動部ユニット５２は、Ｌ字を形成している左右に延びる設置線Ｌ２上に配されている。そのため、５つの駆動部４０は、Ｌ字状の設置線Ｌ２に一列に配置される。この駆動部ユニットの配置モデル１３でスピーカーユニットを構成した場合は、Ｌ字状に形成された１つの振動板（不図示）が取り付けられる。なお、この図９に示す駆動部ユニットの配置モデル１３は、表示装置や角部のある電子機器等の角部に組み込むことを想定したものである。
【００６６】
以上に説明した第１態様に係るスピーカーユニットの駆動部ユニットは、第１具体例から第４具体例までに示したスピーカーユニットの駆動部の配置モデル以外にも、直線状に延びる部位を有する図形や文字の形に形成する場合に用いることができる。
【００６７】
（第２態様）
次に、図１０から図１２を参照して、第２態様に係る駆動部ユニットの配置モデル１４について説明する。第２態様にかかる駆動部ユニットの配置モデル１４に用いられる駆動部ユニット５４は、駆動部を配置する配列線Ｌ１が折れ曲がり部を有する線で構成されている。なお、図１０から図１２は、説明容易のため、駆動部ユニット５２，５４，５５をモデル化して概要のみを示している。
【００６８】
第２態様に係る駆動部ユニットの配置モデル１４によって構成されるスピーカーは、特に図示していないが、第１態様に係るスピーカーユニットと同様に、フレームにエッジ部材を介して取り付けられた振動板と、通電された電気信号に応じて振動板を振動させる駆動部とを備えている。このスピーカーユニットは、駆動部が配列線上に複数配置されている。また、スピーカーユニットは、２以上の駆動部が１組の駆動部ユニットを構成し、単数又は複数の前記駆動部ユニットを備えている。こうした第２態様に係るスピーカーユニットの駆動部ユニットの配置モデルについても、具体例毎に説明する。
【００６９】
駆動部ユニット５４は、図１０に示すように、４つの駆動部４０を備えている。駆動部ユニット５４の配列線Ｌ１は、直角に折れ曲がる折れ曲がり部を備えている。４つの駆動部４０は、配列線Ｌ１が直線状に延びる部位に２つずつ配置されている。なお、図１０は、駆動部４０が配置される配列線Ｌ１が、直角に折れ曲がる折れ曲がり部を備えた場合を例に示しているが、折れ曲がり部の折れ曲がり角θは、鋭角又は鈍角に設定してもよい。また、駆動部４０の数は、４つは限定されず、複数であれば、２つ、３つ又は５つ以上であってもよい。
【００７０】
図１１は、図１０に示す駆動部ユニット５４と、配列線Ｌ１が直線状に延びる駆動部ユニット５２とを四角形の輪郭に一致して形成された設置線Ｌ２上に配置して構成された駆動部ユニットの配置モデル１４を示している。
【００７１】
駆動部ユニット５４は、四角形の４隅の位置で設置線Ｌ２が直角に折れ曲げられた部位に配置されて用いられる。直線状に延びる駆動部ユニット５２は、駆動部ユニット５４同士の間に設けられた直線状に延びる設置線Ｌ２の位置に配置される。なお、取り付けられる振動板は、その形状に限定はない。振動板は、駆動部ユニットが配置された部分よりも内側の領域に任意の形状の穴を形成してもよい。
【００７２】
なお、図１１は、駆動部ユニット５２と駆動部ユニット５４とを組み合わせて１つの駆動部ユニットの配置モデル１４を構成した場合を示している。しかし、駆動部ユニット５４のみを用いて駆動部ユニットの配置モデルを構成してもよい。駆動部ユニット５４のみで駆動部ユニットの配置モデルを構成する場合、例えば、設置線Ｌ２を四角形の輪郭に一致させて形成する。そして、こうした設置線Ｌ２の４隅の位置に、直角に折れ曲げられた設置線Ｌ２に駆動部ユニット５４を一致させて配置して駆動部ユニットの配置モデルを構成する。
【００７３】
こうした駆動部ユニット５４は、図１１に示した四角形状の駆動部ユニットの配置モデル１４を構成する場合に限らず、鋭角、直角又は鈍角に折れ曲がる部位を有する図形や文字の形に駆動部ユニットの配置モデルを構成する場合に用いることができる。
【００７４】
図１２に示した駆動部ユニット５５は、長手方向の中間部に直角に折れ曲がる折れ曲がり部を有しており、配列線Ｌ１がアルファベットのＬ字状に形成されている。この駆動部ユニット５５は、５つの駆動部４０を配列線Ｌ１上に備えている。５つの駆動部４０のなかの１つの駆動部４０は、折れ曲がり部に配置されている。他の４つの駆動部４０は、直線状に延びる配列線Ｌ１上に２つずつ配置されている。なお、こうした態様の駆動部ユニットの折れ曲がり角θは、鋭角又は鈍角に設定してもよい。また、駆動部４０の数は、３つ以上であれば、５つには限定されない。なお、直線状に延びる部位の長さを相互に異なるように配列線Ｌ１を形成し、それぞれの部位に異なる数の駆動部を配置してもよい。
【００７５】
この第２態様に係る駆動部ユニットの配置モデルは、駆動部ユニット５４，５５が、設置線上Ｌ２に複数配置されるので、駆動部ユニットの配置モデルのように駆動部ユニットを配置すれば、スピーカーユニットの全体形状を、組み込む対象物に適合した形状にすることができる。
【００７６】
こうした第２態様に係る駆動部ユニットの配置モデルは、駆動部ユニットに用いる駆動部をユニット化する場合に、２以上のコイルをユニット化したり、２以上の磁石をユニット化したり、２以上のコイル及び磁石の双方をユニット化したりして駆動部ユニットを構成することができる。また、２以上の駆動部４０全体で１組の駆動部ユニットを構成してもよい。
【００７７】
（第３態様）
図１３から図１５を参照して第３態様に係る駆動部ユニットの配置モデルによって構成されるスピーカーについて説明する。なお、図１３から図１５は、説明容易のため、駆動部ユニット５６をモデル化して概要のみを示している。
【００７８】
第３態様に係る駆動部ユニットの配置モデルによって構成されるスピーカーユニットは、特に図示していないが、第１実施形態に係るスピーカーユニットと同様に、フレームにエッジ部材を介して取り付けられた振動板と、通電された電気信号に応じて振動板を振動させる駆動部とを備えている。このスピーカーユニットは、駆動部が配列線上に複数配置されている。また、スピーカーユニットは、２以上の駆動部が１組の駆動部ユニットを構成し、単数又は複数の前記駆動部ユニットを備えている。
【００７９】
駆動部ユニット５６は、３つの駆動部４０を備えている。３つの駆動部４０は、図１３に示すように、円弧状に湾曲する配列線Ｌ１上に配置されており、ユニット手段によってユニット化されている。なお、ユニット化される駆動部４０の数は、３つには限定されず、複数であれば、２つ又は４つ以上であってもよい。こうした駆動部ユニット５６を備えた第３態様に係るスピーカーユニットの駆動部ユニットの配置モデルについても、具体例毎に説明する。
【００８０】
（第１具体例）
図１４は、図１３に示す駆動部ユニット５６を利用して円形に構成された駆動部ユニットの配置モデル１５を示している。
【００８１】
駆動部ユニット５６を配置する設置線Ｌ２は、図１４に示すように円の輪郭に一致して形成されている。駆動部ユニットの配置モデル１５は、図１４に示す駆動部ユニット５６が４つ用いられて構成されている。４組の駆動部ユニット５６は、設置線Ｌ２上に均等な距離を空けて配列されている。なお、取り付けられる振動板は、その形状に限定はない。振動板は、駆動部ユニットが配置された部分よりも内側の領域に任意の形状の穴を形成してもよい。
【００８２】
（第２具体例）
図１５は、図１３に示す駆動部ユニット５６を利用してアルファベットのＳ字状に構成した駆動部ユニットの配置モデル１６を示している。
【００８３】
駆動部ユニット５６が配列される設置線Ｌ２は、図１５に示すように、Ｓ字状に形成されている。駆動部ユニット５６は、Ｓ字を構成する上側と下側の円弧状の部位に２組ずつ配置さている。２組の駆動部ユニット５６は、Ｓ字の円弧状に形成された設置線Ｌ２の部位では、長手方向の端部同士の間に小さな隙間を空けて配置される。これに対し、駆動部ユニット５６は、長手方向の端部同士の間に比較的大きな隙間を空けて、上側と下側の円弧状に形成された設置線Ｌ２に配置されている。こうした駆動部ユニットの配置モデル１６によって構成されるスピーカーは、Ｓ字状に形成された１つの振動板（不図示）が取り付けられる。
【００８４】
なお、図１４は円形に形成された駆動部ユニットの配置モデル１５を示し、図１５はＳ字状に形成された駆動部ユニットの配置モデル１６を示しているが、駆動部ユニット５６を用いて駆動部ユニットの配置モデルを構成する場合、円形やＳ字状には限定されない。一部に円弧状の湾曲部を有する図形や文字の形にスピーカー駆動部ユニットの配置モデルを構成する態様であれば、駆動部ユニット５６を用いて構成することができる。
【００８５】
こうした第３実施形態に係る駆動部ユニットの配置モデルによって構成されるスピーカーユニットも、駆動部ユニット５６が、設置線上Ｌ２に複数配置されるので、スピーカーユニットの全体形状を、組み込む対象物に適合した形状にすることができる。
【００８６】
こうした第３態様に係る駆動部ユニットの配置モデルは、駆動部ユニットに用いる駆動部をユニット化する場合に、２以上のコイルをユニット化したり、２以上の磁石をユニット化したり、２以上のコイル及び磁石の双方をユニット化したりして駆動部ユニットを構成することができる。また、２以上の駆動部４０全体で１組の駆動部ユニットを構成してもよい。
【００８７】
以上、配列線Ｌ１が２つの端部を有する直線又は曲線である場合を例に説明した。しかし、配列線Ｌ１は、以上に説明した第１態様から第３態様の他に、例えば、アルファベットのＴ字のように端部を３つ有するもの、アルファベットのＸのように端部を４つ有するもの、及び５つ以上の端部を有するものであってもよい。  配列線Ｌ１の態様は、このように、直線同士を適宜に組み合わせた態様、曲線同士を適宜に組み合わせた態様及び直線と曲線とを適宜に組み合わせた態様とすることができる。
【００８８】
また、設置線Ｌ２も、以上に説明したものには限定されず、直線同士を適宜に組み合わせた態様、曲線同士を適宜に組み合わせた態様及び直線と曲線とを適宜に組み合わせた態様とすることもできる。なお、以上では、スピーカーユニットが複数の駆動部ユニットを備えた態様について説明したが、単数の駆動部ユニットだけで、スピーカーユニットを構成してもよい。
【００８９】
［第２実施形態］
本発明の第２実施形態に係るスピーカーユニットの駆動部ユニットの配置モデル１７〜１７Ｆは、駆動部ユニット５１，５３を配置する設置線Ｌ２が複数の線によって構成されている。
【００９０】
この第２実施形態に係る駆動部ユニットの配置モデル１７〜１７Ｆによって構成されたスピーカーユニットの基本構成は、特に図示していないが、第１実施形態に係るスピーカー１０〜１６と同様に、フレームと、ことフレームにエッジ部材を介して取り付けられた振動板と、通電された電気信号に応じて振動板を振動させる駆動部とを備えている。駆動部は、配列線上に複数配置されている。
【００９１】
また、２以上の駆動部が１組の駆動部ユニットを構成している。なお、この第２実施形態に係る駆動部ユニットの配置モデルに用いる駆動部ユニットは、２以上の駆動部をユニット化するに際し、２以上のコイルをユニット化したり、２以上の磁石をユニット化したり、２以上のコイル及び磁石の双方をユニット化したりして駆動部ユニットを構成することができる。また、２以上の駆動部全体で１組の駆動部ユニットを構成してもよい。以下、第２実施形態に係るスピーカーユニットの駆動部ユニットの配置モデル１７〜１７Ｆの詳細を態様毎に説明する。
【００９２】
なお、図１６〜図２２は、スピーカーユニットの各駆動部ユニットの配置モデル１７〜１７Ｆを構成する駆動部ユニット及び振動板のみを示している。また、駆動部ユニットの配列線及び駆動部ユニットが配置される設置線が直線状に延びるものを例に記載しているが、配列線及び設置線は、直線状に延びるものに限定されない。配列線及び設置線は、直線の他に、曲線、直線同士を適宜に組み合わせた線、曲線同士を適宜に組み合わせた線及び直線と曲線とを適宜に組み合わせた線を含むものである。
【００９３】
（第１態様）
図１６に示す駆動部ユニットの配置モデル１７は、駆動部ユニット５３を配置する不連続の設置線Ｌ２を複数備えている。各設置線Ｌ２はそれぞれ直線状に延びており、各設置線Ｌ２が相互に平行をなしている。図１６に示す駆動部ユニットの配置モデル１７は、５本の設置線Ｌ２を備えている。駆動部ユニット５３は、こうした設置線Ｌ２上にそれぞれ１つずつ配置される。
【００９４】
各駆動部ユニット５３の配列線Ｌ１は直線状に延びていて、駆動部４０は、この配列線Ｌ１上に直線状に配置されている。具体的には、各駆動部ユニット５３は、この配列線Ｌ１上に８つの駆動部４０をそれぞれ備えている。駆動部ユニットの配置モデル１７は、こうした駆動部ユニット５３が５組用意され、５組の駆動部ユニット５３が各設置線Ｌ２に１組ずつ配置されて構成される。こうした駆動部ユニットの配置モデル１７によって構成されるスピーカーユニットは、全面を覆う振動板２１が取り付けられる。なお、図１６に示した振動板２１は、四角形に形成されているが、振動板２１の形状は限定されない。
【００９５】
２以上の駆動部４０で振動板２１を駆動する場合、駆動部４０を１つずつ設置することは、組み立ての作業効率が悪い。これに対し、図１６に示す駆動部ユニットの配置モデル１７のように、２以上の駆動部４０をユニット化しておけば、駆動部４０を効率よく組み立てることができる。
【００９６】
なお、図１６に示す駆動部ユニットの配置モデル１７は、例えば、アルファベットのＨのように配列線Ｌ１の構成部分の一部が相互に接続された形状の駆動部ユニットを使用して構成することもできる。この場合、配列線Ｌ１の構成部分の一部が相互に接続された形状の駆動部ユニットを２組用いると共に、直線状の駆動部ユニット５３と１組用い、これらを横方向に並べて配置モデルを構成すれば、図１６に示した駆動部ユニットの配置モデルと同様の構成にすることができる。このような配列線Ｌ１の構成部分の一部が相互に接続された形状の駆動部ユニットは、以下に説明する第２態様から第７態様の配置モデルにも適用することができる。こうした配列線Ｌ１の構成部分の一部が相互に接続された形状の駆動部ユニットは、一部が接続された形状であれば、上記したＨの文字には限定されず、他の形状に形成してもよい。駆動部ユニットは、配置モデルの態様に応じて、所望の形状に形成すればよい。
【００９７】
配列線Ｌ１の構成部分の一部が相互に接続された形状の駆動部ユニットを用いた場合、合計で３組の駆動部ユニットを組み込むだけでよいので、図１６に示す５組の駆動部ユニットからなる配置モデル１７を組み立てる場合に比べて、組立工数を減少させることができる。こうした組立工数を減少させることができるという効果は、以下の第２態様から第７態様の駆動部ユニットの配置モデルについても同様に奏する。
【００９８】
なお、図１６に示す駆動部ユニットの配置モデル１７は、８つの駆動部４０が１組のユニットを構成する駆動部ユニット５３を各設置線Ｌ２に１組ずつ配置されている。しかし、各設置線Ｌ２に配置される駆動部ユニットの数は、１組であることには限定されない。例えば、４つの駆動部４０で１組の駆動部ユニットを構成し、この駆動部ユニットを各設置線Ｌ２に２組ずつ配置したり、２つの駆動部４０で１組の駆動部ユニットを構成し、この駆動部ユニットを各設置線Ｌ２に４組ずつ配置したりして構成してもよい。
【００９９】
このように、第２実施形態に係るスピーカーユニットは、この第１態様に係るスピーカーユニットのように、各設置線Ｌ２に配置される駆動部ユニットの数が単数であるか複数であるかは限定されない。各設置線Ｌ２に配置される駆動部ユニットの数が単数であるか複数であるかは限定されないことは、以下に説明する第２態様から第７態様に係る駆動ユニットの配置モデル１７Ａ〜１７Ｆによって構成されるスピーカーユニットについても同様である。
【０１００】
（第２態様）
図１７を参照して第２態様に係る駆動部ユニットの配置モデル１７Ａについて説明する。駆動部ユニットの配置モデル１７Ａは、設置線Ｌ２が四角形の中心で交差する２本の対角線と一致する構成となっている。設置線Ｌ２に配置される各駆動部ユニット５１は、３つの駆動部４０をそれぞれ備えている。これら３つの駆動部４０は直線状に延びる配列線Ｌ１上に配置されている。こうした駆動部ユニット５１は、各設置線Ｌ２上に２組ずつ配置されており、４組の駆動ユニット５１は十字を形成している。より具体的に説明すると、２組の駆動部ユニット５１は、２本の設置線Ｌ２が交差する交点に対して対称になるように一方の設置線Ｌ２上に配置され、他の２組の駆動部ユニット５１は、置線Ｌ２が交差する交点に対して対称になるように他方の設置線Ｌ２上に配置されている。こうした駆動部ユニットの配置モデル１７Ａによって構成されるスピーカーユニットは、全面を覆う振動板２１ａが取り付けられる。なお、図１７に示した振動板２１ａは、四角形に形成されているが、振動板２１ａの形状は限定されない。
【０１０１】
（第３態様）
図１８を参照して第３態様に係る駆動部ユニットの配置モデル１７Ｂについて説明する。駆動部ユニットの配置モデル１７Ｂは、４本の設置線Ｌ２を備えている。これら４本の設置線Ｌ２は、四角形の輪郭に一致して延びている。この設置線Ｌ２は、駆動部ユニットの配置モデル１７Ｂの筐体に対して垂直平面内で４５°回転されており、４つの頂点のうち対角線上に位置する一方の一対の頂点が上下方向に配置され、他方の一対の頂点が水平方向に配置されている。
【０１０２】
設置線Ｌ２に配置される駆動部ユニット５１は、駆動部ユニットの配置モデル１７Ａが備える駆動部ユニット５１と同様であり、３つの駆動部４０をそれぞれ備えている。これら３つの駆動部４０は、直線状に延びる配列線Ｌ１上に配置されている。こうした駆動部ユニット５１は、その配列線Ｌ１が四角形をなす設置線Ｌ２の各辺に一致されることによって設置線Ｌ２にそれぞれ配置されている。こうした駆動部ユニットの配置モデル１７Ｂによって構成されるスピーカーユニットは、全面を覆う振動板２１ｂが取り付けられる。なお、図１８に示した振動板２１ｂは、四角形に形成されているが、振動板２１ｂの形状は限定されない。
【０１０３】
（第４態様）
図１９を参照して第４態様に係る駆動部ユニットの配置モデル１７Ｃについて説明する。駆動部ユニットの配置モデル１７Ｃは、直線状に延びる５本の設置線Ｌ２を備えている。５本の設置線Ｌ２は、相互に平行をなすと共に、鉛直線に対してそれぞれ斜めに傾けられている。
【０１０４】
各設置線Ｌ２に配置される駆動部ユニット５１は、３つの駆動部４０をそれぞれ備えており、これら３つの駆動部４０が直線状に延びる配列線Ｌ１上に配置されている。駆動部ユニット５１は、配列線Ｌ１が各設置線Ｌに一致されることによって設置線Ｌ２にそれぞれ配置されている。その結果、５組の駆動部ユニット５１は、相互に平行をなすと共に、鉛直線に対してそれぞれ斜めに傾けられている。こうした駆動部ユニットの配置モデル１７Ｃによって構成されるスピーカーユニットは、全面を覆う振動板２１ｃが取り付けられる。なお、図１９に示した振動板２１ｃは、四角形に形成されているが、振動板２１ｃの形状は限定されない。
【０１０５】
（第５態様）
図２０を参照して第５態様に係る駆動部ユニットの配置モデル１７Ｄについて説明する。駆動部ユニットの配置モデル１７Ｄは、直線状に延びる６本の設置線Ｌ２を備えている。６本の設置線Ｌ２は、駆動部ユニットの配置モデル１７Ｄの左右方向の中心を境に図１３の右側と左側とに３本ずつに分配されている。３本ずつに分配された各設置線Ｌ２の上側は、駆動部ユニットの配置モデル１７Ｄの中心を向いている。これに対し、設置線Ｌ２の下側は、それぞれの設置線Ｌ２が配置されている領域の、駆動部ユニットの配置モデル１７Ｄの左右方向の端部を向いている。設置線Ｌ２は、中心よりも左側の領域に配置されている設置線Ｌ２同士が相互に平行をなすと共に、中心よりも右側の領域に配置されている設置線Ｌ２同士が相互に平行をなしている。
【０１０６】
こうした設置線Ｌ２に配置される駆動部ユニット５１は、３つの駆動部４０をそれぞれ備えている。各駆動部ユニット５１は、配列線Ｌ１が設置線Ｌ２に一致されることによって設置線Ｌ２にそれぞれ配置されている。こうした駆動部ユニットの配置モデル１７Ｄによって構成されるスピーカーユニットは、全面を覆う振動板２１ｄが取り付けられる。なお、図２０に示した振動板２１ｄは、四角形に形成されているが、振動板２１ｄの形状は限定されない。
【０１０７】
（第６態様）
図２１を参照して第６態様に係る駆動部ユニットの配置モデル１７Ｅについて説明する。駆動部ユニットの配置モデル１７Ｅは、直線状に延びる６本の設置線Ｌ２を有している。設置線Ｌ２は、山と谷とが駆動部ユニットの配置モデル１７Ｅの左右方向に順次に並ぶように配置されている。より具体的に説明すると、２本の設置線Ｌ２が１組となり、この２本の設置線Ｌ２が上側に向かうにつれて相互に接近し、下側に向かうにつれて相互に離間し、２本の設置線Ｌ２が１つの山を形成するように配置されている。２本の設置線Ｌ２によって形成された山が、駆動部ユニットの配置モデル１７Ｅの左右方向に３つ並べられて、山と谷とが駆動部ユニットの配置モデル１７Ｅの左右方向に順次に並ぶように配置されている。
【０１０８】
こうした設置線Ｌ２に配置される駆動部ユニット５１は、３つの駆動部４０をそれぞれ備えている。各駆動部ユニット５１は、配列線Ｌ１が設置線Ｌ２に一致されることによって設置線Ｌ２にそれぞれ配置されている。こうした駆動部ユニットの配置モデル１７Ｅによって構成されるスピーカーユニットは、全面を覆う振動板２１ｅが取り付けられる。なお、図２１に示した振動板２１ｅは、四角形に形成されているが、振動板２１ｅの形状は限定されない。
【０１０９】
（第７態様）
図２２を参照して第７態様に係る駆動部ユニットの配置モデル１７Ｆについて説明する。駆動部ユニットの配置モデル１７Ｆは、直線状に延びる５本の設置線Ｌ２を備えている。これらの設置線Ｌ２は、左右方向に延びる設置線Ｌ２と上下方向に延びる設置線Ｌ２とが、駆動部ユニットの配置モデル１７Ｆの左右方向に交互に並ぶようにして配置されている。具体的に説明すると、駆動部ユニットの配置モデル１７Ｆは、３本の左右方向に延びる設置線Ｌ２と、２本の上下方向に延びる設置線Ｌ２と、を備えている。左右方向に延びる３本の設置線Ｌ２は、駆動部ユニットの配置モデル１７Ｆの上下方向の中心線の位置に配置されている。これに対して上下方向に延びる２本の設置線Ｌ２は、駆動部ユニットの配置モデル１７Ｆを左右方向に三分割する２ヶ所の位置に配置されている。
【０１１０】
駆動部ユニット５２は配列線Ｌ１が直線状に延びており、２つの駆動部４０がこの配列線Ｌ１上に配置されている。こうした駆動部ユニット５２は、左右方向に延びる３本の設置線Ｌ２上に、各々の配列線Ｌ１を設置線Ｌ２に一致させてそれぞれ配置されている。これに対し、駆動部ユニット５１は、配列線Ｌ１が直線状に延びており、３つの駆動部４０をこの配列線Ｌ１上に備えている。この駆動部ユニット５１は、上下方向に延びる２本の設置線Ｌ２上に、各々の配列線Ｌ１を設置線Ｌ２に一致させてそれぞれ配置されている。こうした駆動部ユニットの配置モデル１７Ｆによって構成されるスピーカーユニットは、全面を覆う振動板２１ｆが取り付けられる。なお、図２２に示した振動板２１ｆは、四角形に形成されているが、振動板２１ｆの形状は限定されない。
【０１１１】
［第３実施形態］
次に、図２３から図２７を参照して本発明の第３実施形態について説明する。第３実施形態に係るスピーカーユニットの駆動部ユニットは、配列線Ｌ１が端部を有しない閉じた図形の輪郭に一致して形成されている。
【０１１２】
（第１態様）
第１態様に係る駆動部ユニット８１の配列線Ｌ１は、多角形の輪郭に一致するように形成されている。図２３に示す駆動部ユニット８１は、配列線Ｌ１が三角形に形成され、複数の駆動部４０が三角形の輪郭をなす配列線Ｌ１上に配置されている。この駆動部ユニット８１は、駆動部４０は、三角形の各辺にそれぞれ３つずつ等間隔をなして配置されている。ただし、駆動部４０は、辺の位置だけでなく頂点の位置にも配置してもよい、また、駆動部４０の間隔が異なるように配置してもよい。
【０１１３】
図２３は、多角形として三角形を例に示しているが、第１態様に係る駆動部ユニットは、四角形以上の多角形に適用することもできる。
【０１１４】
（第２態様）
第２態様に係る駆動部ユニット８２の配列線Ｌ１は、円形又は楕円のように曲線によって形成されている。図２４に示す駆動部ユニット８２は、配列線Ｌ１が円形に形成され、１６個の駆動部４０が円の輪郭をなす配列線Ｌ１上に等間隔をなして配置されている。ただし、駆動部４０の間隔は、必要に応じて異なるように配置してもよい。
【０１１５】
（第３態様）
第３態様に係る駆動部ユニットの配列線Ｌ１は、図形の内側に向けて窪んだ部位が形成されている。図２５は、直線及び折れ曲がり部を有し、かつ、内側に向けて窪んだ部分が折れ曲がり部を備えた図形からなる駆動部ユニット８３と、曲線からなり、内側に向けて窪んだ部分が曲線で形成された図形からなる駆動部ユニット８４とを合わせて図示している。中心線ＣＬよりも左側の配列線Ｌ１は、直線及び折れ曲がり部で形成された図形からなり、中心線よりも右側の配列線Ｌ１は、曲線からなる図形である。なお、図２５は、説明の便宜上、２種類の駆動部ユニット８３，８４を１つの図面に表したものであり、中心線ＣＬよりも左側に示す駆動部ユニット８３は、中心線ＣＬに対して線対称になるように形成され、中心線ＣＬよりも右側に示す駆動部ユニット８４は中心線ＣＬに対して線対称になるように形成されている。
【０１１６】
まず、中心線ＣＬよりも左側の図形からなる駆動部ユニット８３について説明する。
【０１１７】
駆動部ユニット８３の配列線Ｌ１は、四角形の頂点の部分を図形の中心に向けて窪ませた形状をなしている。図２５の符号Ｐ，Ｑ，Ｒ，Ｓで示した頂点の部分は、直角に折れ曲げられた折れ曲がり部が外側に向けて突出している。これに対し、図２５の符号Ｔ，Ｕで示した頂点の部分は、折れ曲がり部が図形の内側に向けて窪んでいる。このように、配列線Ｌ１は、外側に向けて突出する折れ曲がり部と、内側に窪んだ折れ曲がり部とを組み合わせて形成された図形で構成してもよい。なお、図示した駆動部ユニット８３の配列線Ｌ１は、折れ曲がり部の角度が直角をなしているが、本発明は、鈍角又は鋭角である図形に適用することもできる。
【０１１８】
駆動部４０は、図形の輪郭に一列をなして配置されている。図２５に示す駆動部ユニット８３は、各頂点Ｐ，Ｑ，Ｒ，Ｓ，Ｔ，Ｕの部分に１つずつ駆動部４０が配置されると共に、各頂点Ｐ，Ｑ，Ｒ，Ｓ，Ｔ，Ｕの中間の位置に１つずつ駆動部４０が配置されている。ただし、駆動部４０は、必要に応じて辺の部分にのみ設けたり、頂点Ｐ，Ｑ，Ｒ，Ｓ，Ｔ，Ｕの部分のみに設けたりしてもよい。また、駆動部４０同士の間隔を相互に異なるように配置することもできる。
【０１１９】
次に、中心線ＣＬよりも右側の図形からなる駆動部ユニット８４について説明する。
【０１２０】
駆動部ユニット８４の配列線Ｌ１は、曲線が外側に突出する部位と図形の内側に窪んだ部位とが組み合わされて形成された図形によって形成されている。図２５の上側及び下側の部分Ｎ，Ｎは円弧状の曲線が外側に向けて突出している。これに対し、図２５の中央の部分Ｍは、円弧状の曲線が図形の内側に向けて窪んでいる。このように、配列線Ｌ１は、外側に向けて突出する曲線と、内側に窪んだ曲線とを組み合わせて形成された図形で構成してもよい。
【０１２１】
駆動部４０は、図形の輪郭に一致する配列線Ｌ１上に等間隔をなして配置されている。ただし、駆動部４０は、必要に応じて異なる間隔で配置してもよい。
【０１２２】
なお、駆動部ユニットは、図２５の全体に示された１つの形状の配列線Ｌ１によって構成することもできる。すなわち、配列線Ｌ１は、図２５の全体に示された、直線、折れ曲がり線及び曲線を適宜に組み合わせて、図形の内側に向けて窪んだ折れ曲がり部や曲線の部分が形成された図形によって構成してもよい。
【０１２３】
次に、配列線Ｌ１が端部を有しない閉じた図形からなる駆動部ユニットを複数の設置線Ｌ２上に配置した駆動部ユニットの配置モデルについて説明する。
【０１２４】
図２６に示す駆動部ユニットの配置モデル８５は、２つの駆動部ユニット８２，８６によって構成されている。駆動部ユニット８２，８６が配置される設置線Ｌ２は、２つの円が同心円状に配置されている。半径の大きな駆動部ユニット８２が外側の設置線Ｌ２に配置され、半径の小さな駆動部ユニット８６が内側の設置線Ｌ２に配置されている。
【０１２５】
外側に配置された駆動部ユニット８２は、１６個の駆動部４０を備えている。これらの駆動部４０は、円周方向に等間隔に配置されている。内側に配置された駆動部ユニット８６は、１２個の駆動部４０を備えている。これらの駆動部４０も、円周方向に等間隔に配置されている。ただし、各駆動部ユニット８２，８６に配置される駆動部４０の数は、必要に応じて任意に設定することができる。また、駆動部４０は、異なる間隔に配置することもできる。
【０１２６】
なお、図２６は、駆動部ユニット８２，８６の配列線Ｌ１が円形である場合を例に示している。しかし、こうした駆動部ユニットの配置モデルは、円形である図形には限定されず、端部を有しない閉じた図形であれば、種々の図形に適用することができる。この場合、配列線Ｌ１が相互に同じ形状の図形形成された駆動部ユニット同士を組み合わせること、及び異なる形状の図形に形成された駆動部ユニット同士を組み合わせることができる。
【０１２７】
また、図２６に示す駆動部ユニットの配置モデル８５は、異なる大きさの配列線Ｌ１が内外に配置されている。しかし、駆動部ユニットの配置モデルは同一の大きさに形成された複数の配列線Ｌ１又は異なる大きさの複数の配列線Ｌ１を１列又は複数列に並べて配置して構成してもよい。
【０１２８】
駆動部ユニットの配置モデル８７は、図２７に示すように構成してもよい。この図２７に示す駆動部ユニットの配置モデル８７は、２つの駆動部ユニット８２，８８を組み合わせて構成されている。この駆動部ユニットの配置モデル８７は、２つの駆動部ユニット８２，８８によって、配置が、数字の「６」の輪郭に一致するように構成されている。
【０１２９】
駆動部ユニット８２は、図２４に示した駆動部ユニット８２と同じものである。この駆動部ユニット８２は、配列線Ｌ１が端部を有しない閉じた円形の輪郭によって構成されている。駆動部ユニット８２は、１６個の駆動部４０を配列線Ｌ１上に備えている。これらの駆動部４０は、円周方向に等間隔に配置されている。
【０１３０】
駆動部ユニット８８の配列線Ｌ１は、端部を有する配列線Ｌ１によって構成されている。駆動部ユニット８８の配列線Ｌ１は、円弧状の曲線により形成されている。駆動部ユニットＬ１は、こうした配列線Ｌ１上に５つの駆動部４０が配置されて構成されている。なお、駆動部４０は、等間隔をなして配列線Ｌ１上に配置されている。
【０１３１】
なお、駆動部ユニットの配置モデルは、図２７に示した駆動部ユニットの配置モデルの態様には限定されない。駆動部ユニットの配置モデルは、端部を有する駆動部ユニットと端部有しない閉じた図形からなる駆動部ユニットとの組み合わせであれば所望の駆動部ユニット同士を適宜に組み合わせて構成することができる。たとえば、これまでに説明した直線状の駆動部ユニット５１，５２，５３や折れ曲がり部を有する駆動部ユニット５４，５５等と、図２３から図２５に示した駆動部ユニット８１，８２，８３等とを適宜に組み合わせることもできる。
【０１３２】
以上、本発明に係るスピーカーユニットによれば、振動板の全体を均質に振動させて、高い音質の音を発生させることができる。このように、スピーカーユニットから高い音質の音を発生させることができるため、スピーカーユニットを次のように構成することによって、特有の効果を奏することができる。
【０１３３】
すなわち、本発明に係るスピーカーユニットは、駆動部が配列線上に複数配置されているので、配列線の形状を予め所望の形状に設定し、スピーカーユニットの形状を種々の形状にすることができる。また、２以上の駆動部が１組の駆動部ユニットを構成しているので、駆動部ユニットをあらかじめ別個に組み立てておくことによって、効率よくスピーカーを組み立てることができる。また、駆動部ユニットが設置線上に複数配置されているので、スピーカーユニットの全体形状を、組み込む対象物に適合した形状にすることができる。その結果、スピーカーユニットを細長い場所及び薄い物品、並びに限られたスペース及び変形したスペースに音質を低減させないで組み込むことができる。
【０１３４】
こうしたスピーカーユニットは、薄型化、小型化、軽量化、駆動電流の低減、省スペース化及びスペースの最大限の利用を実現することができる。そのため、液晶モニタやプラズマモニタの周縁部をなすフレーム、パイプ状の部材、絵や写真等の壁掛け等の薄く形成されたもの、幅の狭いもの、並びに変形したスペースに組み込んで使用することができる。また、こうしたスピーカーユニットは、ある物品や物品の部分等、何らかの形状に合わせたり、沿わせたりする形状に組み込んで使用することができる。さらに、本発明に係るスピーカーユニットは、シアターやホール等に設けられたスクリーンの両側に設けることもできる。シアターやホール等に設けられたスクリーンの両側に設けた場合、スピーカーユニットが占めるスペースを小さくすることができる。また、スピーカーユニットは、こうした効果の他に、省資源化、組立の容易化、レアアースの使用量の低減といった種々の効果を奏することができる。
【０１３５】
本発明に係るスピーカーは、カーオーディオに適用することもできる。カーオーディオに適用する場合、従来の設置態様の他に、例えば、スピーカーユニットを、車のピラーの内部、シート、ヘッドレストその他の場所に埋め込む態様で設置することができる。
【０１３６】
また、本発明に係るスピーカーユニットは、その他に、これまでにスピーカーユニットを組み込みにくかった物品や、スピーカーユニットと組み合わせて使用することが考えられてこなかった物品にも組み込むことが可能になる。
【符号の説明】
【０１３７】
１０  スピーカーユニット
１１，１２，１３，１４，１５，１６，１７，１７Ａ，１７Ｂ，１７Ｃ，１７Ｄ，１７Ｅ，１７Ｆ，８５，８７  駆動部ユニットの配置モデル
２０，２１，２１ａ，２１ｂ，２１ｃ，２１ｄ，２１ｅ，２１ｆ  振動板
２５  エッジ部材
３０  フレーム
３１  周面
３２  側面
３３  端面
３４  フレームの端部
３５  梁
３６  保持部
４０  駆動部
４１  ヨーク
４２  磁石
４３  コイル
４４  ダンパー
５０，７０  ユニット板（ユニット手段）
５１，５２，５３，５４，５５，５６、８１，８２，８４，８４，８６，８８  駆動部ユニット
６０  端子
Ｌ１  配列線
Ｌ２  設置線
【図１】
2014022860.tif 000003
【図２】
2014022860.tif 000004
【図３】
2014022860.tif 000005
【図４】
2014022860.tif 000006
【図５】
2014022860.tif 000007
【図６】
2014022860.tif 000008
【図７】
2014022860.tif 000009
【図８】
2014022860.tif 000010
【図９】
2014022860.tif 000011
【図１０】
2014022860.tif 000012
【図１１】
2014022860.tif 000013
【図１２】
2014022860.tif 000014
【図１３】
2014022860.tif 000015
【図１４】
2014022860.tif 000016
【図１５】
2014022860.tif 000017
【図１６】
2014022860.tif 000018
【図１７】
2014022860.tif 000019
【図１８】
2014022860.tif 000020
【図１９】
2014022860.tif 000021
【図２０】
2014022860.tif 000022
【図２１】
2014022860.tif 000023
【図２２】
2014022860.tif 000024
【図２３】
2014022860.tif 000025
【図２４】
2014022860.tif 000026
【図２５】
2014022860.tif 000027
【図２６】
2014022860.tif 000028
【図２７】
2014022860.tif 000029
【手続補正書】
【提出日】平成24年12月28日(2012.12.28)
【手続補正１】
【補正対象書類名】特許請求の範囲
【補正対象項目名】全文
【補正方法】変更
【補正の内容】
【特許請求の範囲】
【請求項１】
フレームと、該フレームにエッジ部材を介して取り付けられた振動板と、通電された電気信号に応じて前記振動板を振動させる駆動部と、を備え、
導体を巻いて形成した複数のコイルが前記振動板に取り付けられてなる構成体と、複数の磁石が前記フレームに取り付けられてなる構成体とが、組み合わされて構成され、
前記駆動部は、前記磁石と前記コイルとが組み合わされて、通電された電気信号に応じて前記コイルを振動させるムービングコイル型に構成され、
２以上の前記コイルと２以上の前記磁石との少なくとも一方は、所定形状の配列線上に配置されるようにユニット手段によって独立したユニットに構成され、
２以上の前記コイルからなる前記ユニットが、所定形状の設置線上に複数配置されるように前記振動板に取り付けられ、及び／又は２以上の前記磁石からなる前記ユニットが、所定形状の設置線上に複数配置されるように前記フレームに取り付けられ、かつ、前記磁石が前記コイルに対して隙間を空けて前記コイルの内側に配置される位置にそれぞれ位置合わせされ、
前記配列線及び前記設置線は、直線、曲線、直線同士を組み合わせてなる線、曲線同士を組み合わせてなる線及び直線と曲線とを組み合わせてなる線の中から選択された端部を有する線であるか、又は、円、楕円、多角形、直線同士を組み合わせてなる線、曲線同士を組み合わせてなる線及び曲線と直線とを組み合わせてなる線の中から選択された閉じた線であることを特徴するスピーカーユニット。
【請求項２】
フレームと、該フレームにエッジ部材を介して取り付けられた振動板と、通電された電気信号に応じて前記振動板を振動させる駆動部と、を備え、
導体を巻いて形成した複数のコイルが前記フレームに取り付けられてなる構成体と、複数の磁石が前記振動板に取り付けられてなる構成体とが、組み合わされて構成され、
前記駆動部は、前記磁石と前記コイルとが組み合わされて、通電された電気信号に応じて前記磁石を振動させるムービングマグネット型に構成され、
２以上の前記コイルと２以上の前記磁石との少なくとも一方は、所定形状の配列線上に配置されるようにユニット手段によって独立したユニットに構成され、
２以上の前記コイルからなる前記ユニットが所定形状の設置線上に複数配置されるように前記フレームに取り付けられ、及び／又は２以上の前記磁石からなる前記ユニットが所定形状の設置線上に複数配置されるように前記振動板に取り付けられ、かつ、前記磁石が前記コイルに対して隙間を空けて前記コイルの内側に配置される位置にそれぞれ位置合わせされ、
前記配列線及び前記設置線は、直線、曲線、直線同士を組み合わせてなる線、曲線同士を組み合わせてなる線及び直線と曲線とを組み合わせてなる線の中から選択された端部を有する線であるか、又は、円、楕円、多角形、直線同士を組み合わせてなる線、曲線同士を組み合わせてなる線及び曲線と直線とを組み合わせてなる線の中から選択された閉じた線であることを特徴するスピーカーユニット。
【請求項３】
前記設置線が１列の線からなる、請求項１又は２に記載のスピーカーユニット。
【請求項４】
前記フレームの長手方向が、前記設置線が延びる方向に一致している、請求項３に記載のスピーカーユニット。
【請求項５】
前記設置線が複数の線からなる、請求項１又は２に記載のスピーカーユニット。
【手続補正書】
【提出日】平成25年5月17日(2013.5.17)
【手続補正１】
【補正対象書類名】特許請求の範囲
【補正対象項目名】全文
【補正方法】変更
【補正の内容】
【特許請求の範囲】
【請求項１】
フレームと、該フレームにエッジ部材を介して取り付けられた振動板と、通電された電気信号に応じて前記振動板を振動させる駆動部と、を備え、
導体を巻いて形成した複数のコイルが前記振動板に直接取り付けられてなる構成体と、複数の磁石が前記フレームに取り付けられてなる構成体とが、組み合わされて構成され、
前記駆動部は、前記磁石と前記コイルとが組み合わされて、通電された電気信号に応じて前記コイルを振動させるムービングコイル型に構成され、
２以上の前記コイルと２以上の前記磁石との少なくとも一方は、所定形状の配列線上に配置されるようにユニット手段によって独立したユニットに構成され、
前記ユニット手段が、支持系をなす部材とは別体の薄板からなるユニット部材であり、
２以上の前記コイルからなる前記ユニットが、所定形状の設置線上に複数配置されるように前記振動板に取り付けられ、及び／又は２以上の前記磁石からなる前記ユニットが、所定形状の設置線上に複数配置されるように前記フレームに取り付けられ、かつ、前記磁石が前記コイルに対して隙間を空けて前記コイルの内側に配置される位置にそれぞれ位置合わせされ、
前記配列線及び前記設置線は、直線、曲線、直線同士を組み合わせてなる線、曲線同士を組み合わせてなる線及び直線と曲線とを組み合わせてなる線の中から選択された端部を有する線であるか、又は、円、楕円、多角形、直線同士を組み合わせてなる線、曲線同士を組み合わせてなる線及び曲線と直線とを組み合わせてなる線の中から選択された閉じた線であることを特徴するスピーカーユニット。
【請求項２】
フレームと、該フレームにエッジ部材を介して取り付けられた振動板と、通電された電気信号に応じて前記振動板を振動させる駆動部と、を備え、
導体を巻いて形成した複数のコイルが前記フレームに取り付けられてなる構成体と、複数の磁石が前記振動板に直接取り付けられてなる構成体とが、組み合わされて構成され、
前記駆動部は、前記磁石と前記コイルとが組み合わされて、通電された電気信号に応じて前記磁石を振動させるムービングマグネット型に構成され、
２以上の前記コイルと２以上の前記磁石との少なくとも一方は、所定形状の配列線上に配置されるようにユニット手段によって独立したユニットに構成され、
前記ユニット手段が、支持系をなす部材とは別体の薄板からなるユニット部材であり、
２以上の前記コイルからなる前記ユニットが所定形状の設置線上に複数配置されるように前記フレームに取り付けられ、及び／又は２以上の前記磁石からなる前記ユニットが所定形状の設置線上に複数配置されるように前記振動板に取り付けられ、かつ、前記磁石が前記コイルに対して隙間を空けて前記コイルの内側に配置される位置にそれぞれ位置合わせされ、
前記配列線及び前記設置線は、直線、曲線、直線同士を組み合わせてなる線、曲線同士を組み合わせてなる線及び直線と曲線とを組み合わせてなる線の中から選択された端部を有する線であるか、又は、円、楕円、多角形、直線同士を組み合わせてなる線、曲線同士を組み合わせてなる線及び曲線と直線とを組み合わせてなる線の中から選択された閉じた線であることを特徴するスピーカーユニット。
【請求項３】
前記設置線が１列の線からなる、請求項１又は２に記載のスピーカーユニット。
【請求項４】
前記フレームの長手方向が、前記設置線が延びる方向に一致している、請求項３に記載のスピーカーユニット。
【請求項５】
前記設置線が複数の線からなる、請求項１又は２に記載のスピーカーユニット。